(57)【要約】      （修正有）【課題】異なるサイズの箱体を容易かつ正確に形成できる畳箱用シートを提供する。【解決手段】畳箱用シートは、一枚のシート材から形成され、方形状の底板１と、この底板１の四辺からそれぞれ延設される４つの側板２〜５と、この４つの側板２〜５の延出側先端に延設され、組み立て状態で組み合わされて底板１に対向する板状の蓋部を構成する４つの蓋板６〜９とを備える畳箱用シートであって、上記底板１と４つの側板２〜５との境界がミシン目を含む底折り曲げ容易線１０ａ〜１０ｄによって定められ、上記４つの側板２〜５と４つの蓋板６〜９との境界が側板２〜５の基端縁に平行な一対の蓋折り曲げ容易線１１ａ〜１１ｄ、１２ａ〜１２ｄによって選択可能に定められ、上記一対の蓋折り曲げ容易線１１ａ〜１１ｄ、１２ａ〜１２ｄの一方がシート材を裏面側に折り曲げる山折り罫線であり、他方がシート材を表面側に折り曲げる谷折り罫線であることを特徴とする。【選択図】図１
0003203567.tif 000002
【実用新案登録請求の範囲】
【請求項１】
一枚のシート材から形成され、
方形状の底板と、
この底板の四辺からそれぞれ延設される４つの側板と、
この４つの側板の延出側先端に延設され、組み立て状態で組み合わされて底板に対向する板状の蓋部を構成する４つの蓋板と
を備える畳箱用シートであって、
上記底板と４つの側板との境界がミシン目を含む底折り曲げ容易線によって定められ、
上記４つの側板と４つの蓋板との境界が側板の基端縁に平行な一対の蓋折り曲げ容易線によって選択可能に定められ、
上記一対の蓋折り曲げ容易線の一方がシート材を裏面側に折り曲げる山折り罫線であり、
上記一対の蓋折り曲げ容易線の他方がシート材を表面側に折り曲げる谷折り罫線であることを特徴とする畳箱用シート。
【請求項２】
上記側板のいずれかの一対の蓋折り曲げ容易線上にそれぞれスリットが形成され、
このスリットが形成される側板に対向する側板から延設される蓋板の延出側先端に上記スリットに挿入される差し込み片が延設され、
この差し込み片と蓋板との境界が一対の差し込み折り曲げ容易線で定められ、
上記一対の差し込み折り曲げ容易線の一方がシート材を裏面側に折り曲げる山折り罫線であり、
上記一対の差し込み折り曲げ容易線の他方がシート材を表面側に折り曲げる谷折り罫線である請求項１に記載の畳箱用シート。
【請求項３】
上記差し込み片の一対の差し込み折り曲げ容易線の間での差し込み折り曲げ容易線に沿う方向の平均幅が一対の差し込み折り曲げ線よりも先端側での差し込み折り曲げ容易線に沿う方向の平均幅よりも大きい請求項２に記載の畳箱用シート。
【請求項４】
上記底折り曲げ容易線がリード罫線である請求項１、請求項２又は請求項３に記載の畳箱用シート。
【請求項５】
上記側板の側縁から延設される折り込み片をさらに備え、この折り込み片が蓋折り曲げ容易線の延長線上で切断されている請求項１から請求項４のいずれか１項に記載の畳箱用シート。
【考案の詳細な説明】
【技術分野】
【０００１】
本考案は、畳箱用シートに関する。
【背景技術】
【０００２】
近年、ネットショッピングやネットオークションの普及により、多様なサイズの包装箱を少数ずつ使用する場合が増えている。包装する商品のサイズに合わせて複数の箱用シート材を用意することは煩雑であるため、複数のサイズの包装箱を形成できる箱用シート材が求められている。
【０００３】
複数のサイズの包装箱を形成できる箱用シート材としては、底板の四方に側板がそれぞれ延設され、各側板の先端縁からそれぞれ蓋板が延設され、これらの蓋板が互いに重ね合わされて蓋部を構成する畳箱用シートにおいて、底板と側板との境界及び側板と蓋板との境界を画定する罫線をそれぞれ複数形成することが提案されている（例えば特開２０１０−２３５１４８号公報参照）。
【０００４】
上記公報に記載される箱用シート材は、隣接して形成される複数の罫線の中から一つの罫線を選択して折り曲げることによって所望のサイズの箱体を形成できるよう構成されている。しかしながら、このように複数の罫線を隣接して形成すると、一つの罫線だけを選択的に折り曲げることが容易ではなく、意図する罫線と同時に隣接する罫線を折り曲げてしまう結果となりやすい。このように、意図しない罫線の不必要な折り曲げがなされると箱体の強度が損なわれるという不都合が生じる。
【先行技術文献】
【特許文献】
【０００５】
【特許文献１】特開２０１０−２３５１４８号公報
【考案の概要】
【考案が解決しようとする課題】
【０００６】
上記不都合に鑑みて、本考案は、異なるサイズの箱体を容易かつ正確に形成できる畳箱用シートを提供することを課題とする。
【課題を解決するための手段】
【０００７】
上記課題を解決するためになされた考案は、一枚のシート材から形成され、方形状の底板と、この底板の四辺からそれぞれ延設される４つの側板と、この４つの側板の延出側先端に延設され、組み立て状態で組み合わされて底板に対向する板状の蓋部を構成する４つの蓋板とを備える畳箱用シートであって、上記底板と４つの側板との境界がミシン目を含む底折り曲げ容易線によって定められ、上記４つの側板と４つの蓋板との境界が側板の基端縁に平行な一対の蓋折り曲げ容易線によって選択可能に定められ、上記一対の蓋折り曲げ容易線の一方がシート材を裏面側に折り曲げる山折り罫線であり、上記一対の蓋折り曲げ容易線の他方がシート材を表面側に折り曲げる谷折り罫線であることを特徴とする畳箱用シートである。
【０００８】
当該畳箱用シートは、上記４つの側板と４つの蓋板との境界が側板の基端縁に平行な一対の蓋折り曲げ容易線によって選択可能に定められることによって、側板の高さを選択して異なる高さを有する箱体に組み立てることができる。また、当該畳箱用シートは、上記一対の蓋折り曲げ容易線の一方がシート材を裏面側に折り曲げる山折り罫線であり、上記一対の蓋折り曲げ容易線の他方がシート材を表面側に折り曲げる谷折り罫線であることによって、折り曲げ方向を選択することによって山折り罫線と谷折り罫線とのいずれか一方だけを選択的に折り曲げることが比較的容易である。つまり、当該畳箱用シートは、表面と裏面とのいずれを外側に配置して箱体を組み立てるかによって、箱体の高さを容易に選択できる。なお、「表面側」及び「裏面側」とは、相対的なものであり、シート材の表裏と一致しなくてもよい。
【０００９】
上記側板のいずれかの一対の蓋折り曲げ容易線上にそれぞれスリットが形成され、このスリットが形成される側板に対向する側板から延設される蓋板の延出側先端に上記スリットに挿入される差し込み片が延設され、この差し込み片と蓋板との境界が一対の差し込み折り曲げ容易線で定められ、上記一対の差し込み折り曲げ容易線の一方がシート材を裏面側に折り曲げる山折り罫線であり、上記一対の差し込み折り曲げ容易線の他方がシート材を表面側に折り曲げる谷折り罫線であるとよい。このように、上記側板のいずれかの一対の蓋折り曲げ容易線上にそれぞれスリットが形成され、このスリットが形成される側板に対向する側板から延設される蓋板の延出側先端に上記スリットに挿入される差し込み片が延設されていることによって、当該畳箱用シートは、組み立てた箱体を容易に封函することができる。また、上記差し込み片と蓋板との境界が一対の差し込み折り曲げ容易線で定められ、上記一対の差し込み折り曲げ容易線の一方がシート材を裏面側に折り曲げる山折り罫線であり、上記一対の差し込み折り曲げ容易線の他方がシート材を表面側に折り曲げる谷折り罫線であることによって、当該畳箱用シートは、折り曲げ方向を選択することで、一対の差し込み折り曲げ容易線のうち箱体の高さに応じて適切方だけを選択的に折り曲げることができる。
【００１０】
上記差し込み片の一対の差し込み折り曲げ容易線の間での差し込み折り曲げ容易線に沿う方向の平均幅が一対の差し込み折り曲げ線よりも先端側での差し込み折り曲げ容易線に沿う方向の平均幅よりも大きいとよい。このように、上記差し込み片の一対の差し込み折り曲げ容易線の間での差し込み折り曲げ容易線に沿う方向の平均幅が一対の差し込み折り曲げ線よりも先端側での差し込み折り曲げ容易線に沿う方向の平均幅よりも大きいことによって、当該畳箱用シートは、差し込み片を蓋板に対して折り曲げる差し込み折り曲げ容易線を誤って折り曲げてしまった場合でも、差し込み片との幅の違いによって誤りに容易に気付くことができる。
【００１１】
上記底折り曲げ容易線がリード罫線であるとよい。このように、上記底折り曲げ容易線がリード罫線であることによって、当該畳箱用シートは、底板に対して側板を容易に立ち上げることができる。
【００１２】
上記側板の側縁から延設される折り込み片をさらに備え、この折り込み片が蓋折り曲げ容易線の延長線上で切断されているとよい。このように、上記側板の側縁から延設される折り込み片をさらに備えることによって、当該畳箱用シートは、組み立て状態において箱体の側板間の隙間を封止することができる。また、上記折り込み片が蓋折り曲げ容易線の延長線上で切断されていることによって、形成する箱体の高さによらず、側板間の隙間を封止することができる。
【考案の効果】
【００１３】
本考案の畳箱用シートは、異なるサイズの箱体を容易かつ正確に形成できる。
【図面の簡単な説明】
【００１４】
【図１】本考案の一実施形態の畳箱用シートを示す模式的裏面図（展開図）である。
【図２】図１の畳箱用シートを表面を外側にして組み立ててなる箱体を示す模式的斜視図である。
【図３】図１の畳箱用シートを裏面を外側にして組み立ててなる箱体を示す模式的斜視図である。
【考案を実施するための形態】
【００１５】
以下、適宜図面を参照しつつ、本考案の実施の形態を詳説する。
【００１６】
［畳箱用シート］
図１に示す本考案の一実施形態に係る畳箱用シートは、一枚のシート材から形成され、図２又は図３に示すように高さが異なる２種類の箱体に組み立てることができる。なお、図１において、太い実線はシート材を切断したエッジを示し（破線状に見える部分はミシン目状にシート材を切断した部分である）、細い実線はシート材を裏面側に容易に折り曲げられる谷折り罫線を示し、二点鎖線はシート材を表面側に容易に折り曲げられる山折り罫線を示す。
【００１７】
上記山折り罫線としては、シート材の裏面に筋押しして形成される通常罫線とすることができる。一方、上記谷折り罫線としては、シート材の表面に筋押しして形成される逆罫線とすることができる。
【００１８】
当該畳箱用シートを形成するシート材としては、例えば段ボールシート、プラスチックボード、ボール紙等を用いることができ、中でも段ボールシートが好適に用いられる。
【００１９】
上記段ボールシートとしては、一枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２０】
当該畳箱用シートは、方形状（図示する例では長方形状）の底板１と、この底板１の四辺からそれぞれ延設される４つの側板２〜５（底板１の互いに対向する一対の周縁から延出する第１側板２及び第２側板３、並びに底板１の他対の周縁から延出する第３側板４及び第４側板５）と、この４つの側板２〜５の延出側先端に延設され、組み立て状態で組み合わされて底板１に対向する板状の蓋部を構成する４つの蓋板６〜９（第１側板２から延出する第１蓋板６、第１側板３から延出する第２蓋板７、第３側板４から延出する第３蓋板８及び第４側板５から延出する第４蓋板９）とを備える。
【００２１】
底板１の短辺の長さの下限としては、９ｃｍが好ましく、１３ｃｍがより好ましい。一方、底板１の短辺の長さの上限としては、２６ｃｍが好ましく、２２ｃｍがより好ましい。また、底板１の長辺の長さの下限としては、１４ｃｍが好ましく、１８ｍがより好ましい。一方、底板１の長辺の長さの上限としては、３４ｃｍが好ましく、３０ｃｍがより好ましい。底板１の短辺又は長辺の長さが上記下限に満たない場合、当該畳箱用シートを組み立ててなる箱体を郵便又はメール便で発送できないおそれや、収容に適する品物が少なくなるおそれがある。逆に、底板１の短辺又は長辺の長さが上記上限を超える場合にも、当該畳箱用シートを組み立ててなる箱体を郵便又はメール便で発送できないおそれや、収容に適する品物が少なくなるおそれがある。なお、底板１は、短辺の長さと長辺の長さとが等しい正方形状であってもよい。
【００２２】
上記底板１と４つの側板２〜５との境界（底板１の周縁）は、それぞれミシン目を含む底折り曲げ容易線１０ａ〜１０ｄによって定められる。本実施形態において、底折り曲げ容易線１０ａ〜１０ｄは、切断線を断続的に配置したミシン目と、このミシン目の切断線の間を接続するようシート材の裏面に筋押しして形成される罫線とを有するリード罫線とされている。このようにミシン目を含む底折り曲げ容易線１０ａ〜１０ｄは、シート材を裏面側に折り曲げるよう山折りすることも、シート材を表面側に折り曲げるよう谷折りすることも容易である。
【００２３】
当該畳箱用シートは、底板１の周縁がミシン目を含む底折り曲げ容易線１０ａ〜１０ｄによって画定されていることによって、底板１に対して側板２〜４をシート材の表面側に折り立てることも、シート材の裏面側に折り立てることも容易である。このため、当該畳箱用シートは、シート材の表面が外側に配置されるよう箱体を組み立てることも、シート材の裏面が外側に配置されるよう箱体を組み立てることも容易である。
【００２４】
また、当該畳箱用シートにおいて、４つの側板２〜５と４つの蓋板６〜９との境界は、それぞれ側板２〜５の基端縁（底板１の周縁）に平行な一対の蓋折り曲げ容易線（第１蓋折り曲げ容易線１１ａ〜１１ｄ及び第２蓋折り曲げ容易線１２ａ〜１２ｄ）によって選択可能に定められる。
【００２５】
本実施形態において、側板２〜５の基端縁に近い方の第１蓋折り曲げ容易線１１ａ〜１１ｄは、シート材を表面側に折り曲げる谷折り罫線であり、側板２〜５の基端縁から遠い方の第２蓋折り曲げ容易線１２ａ〜１２ｄは、シート材を裏面側に折り曲げる山折り罫線である。また、側板２〜５の各基端縁（底折り曲げ容易線１０ａ〜１０ｄ）から対応する第１蓋折り曲げ容易線１１ａ〜１１ｄまでの距離は略等しく、蓋板６〜９の重なりを考慮してシート材の厚さを吸収できる差を設けることが好ましい。また、各第１蓋折り曲げ容易線１１ａ〜１１ｄと隣接する第２蓋折り曲げ容易線１２ａ〜１２ｄとの距離も同様に略等しい。
【００２６】
底折り曲げ容易線１０ａ〜１０ｄと第１蓋折り曲げ容易線１１ａ〜１１ｄとの距離の下限としては、０．５ｃｍが好ましく、１ｃｍがより好ましい。一方、底折り曲げ容易線１０ａ〜１０ｄと第１蓋折り曲げ容易線１１ａ〜１１ｄとの距離の上限としては、３ｃｍが好ましく、２．５ｃｍがより好ましい。また、第１蓋折り曲げ容易線１１ａ〜１１ｄと第２蓋折り曲げ容易線１２ａ〜１２ｄとの距離の下限としては、０．３ｃｍが好ましく、０．５ｃｍがより好ましい。一方、第１蓋折り曲げ容易線１１ａ〜１１ｄと第２蓋折り曲げ容易線１２ａ〜１２ｄとの距離の上限としては、２ｃｍが好ましく、１．５ｃｍがより好ましい。底折り曲げ容易線１０ａ〜１０ｄと第１蓋折り曲げ容易線１１ａ〜１１ｄとの距離が上記下限に満たない場合、当該畳箱用シートを組み立ててなる箱体での収容に適する品物が少なくなるおそれがある。また、第１蓋折り曲げ容易線１１ａ〜１１ｄと第２蓋折り曲げ容易線１２ａ〜１２ｄとの距離が上記下限に満たない場合、当該畳箱用シートを組み立ててなる箱体の高さの変化が小さくなることで、箱体での収容に適する品物が少なくなるおそれがある。逆に、底折り曲げ容易線１０ａ〜１０ｄと第１蓋折り曲げ容易線１１ａ〜１１ｄとの距離又は第１蓋折り曲げ容易線１１ａ〜１１ｄと第２蓋折り曲げ容易線１２ａ〜１２ｄとの距離が上記上限を超える場合、当該畳箱用シートを組み立ててなる箱体をポストや郵便受けに投函できないおそれがある。
【００２７】
蓋板６〜９は、第２蓋折り曲げ容易線１２ａ〜１２ｄを延出側に平行にオフセットした仮想線を底辺とする直角二等辺三角形状の領域を有する概略五角形状（野球のホームベース状）に形成される。蓋板６〜９が第１蓋折り曲げ容易線１１ａ〜１１ｄ又は第２蓋折り曲げ容易線１２ａ〜１２ｄと上記仮想線との間の方形状の領域を有することにより、組み立て時に直角二等辺三角形状の領域の等辺近傍部分が互いに重なり合い、当該畳箱用シートを組み立ててなる箱体を最終的に封止する蓋部を形成することができる。
【００２８】
第１蓋板６、第３蓋板８及び第４蓋板９における上記直角二等辺三角形状の領域の底辺となる仮想線と第２蓋折り曲げ容易線１２ａ，１２ｃ，１２ｄとの距離の下限としては、０．５ｃｍが好ましく、１ｃｍがより好ましい。一方、第１蓋板６、第３蓋板８及び第４蓋板９における上記仮想線と第２蓋折り曲げ容易線１２ａ，１２ｃ，１２ｄとの距離の上限としては、３ｃｍが好ましく、２ｃｍがより好ましい。第１蓋板６、第３蓋板８及び第４蓋板９における上記仮想線と第２蓋折り曲げ容易線１２ａ，１２ｃ，１２ｄとの距離が上記下限に満たない場合、当該畳箱用シートを組み立てた状態で、第１蓋板６、第３蓋板８及び第４蓋板９の相互の重なりが小さくなり、箱体に隙間を生じやすくなるおそれがある。逆に、第１蓋板６、第３蓋板８及び第４蓋板９における上記仮想線と第２蓋折り曲げ容易線１２ａ，１２ｃ，１２ｄとの距離が上記上限を超える場合、第１蓋板６、第３蓋板８及び第４蓋板９の相互の重なりが大きく、形成される蓋部がいびつになるおそれや、当該畳箱用シートを形成するシート材の面積が不必要に大きくなるおそれがある。
【００２９】
さらに、当該畳箱用シートは、第１蓋折り曲げ容易線１１ａ〜１１ｄが谷折り罫線であり、第２蓋折り曲げ容易線１２ａ〜１２ｄが山折り罫線であるため、側板２〜４に対して蓋板６〜９を裏面側に折り曲げる場合、第１折り曲げ容易線１１ａ〜１１ｄは、第２蓋折り曲げ容易線１２ａ〜１２ｄよりも折り曲げにくい。このため、当該畳箱用シートは、シート材の表面を外側にして箱体を組み立てる場合、第２蓋折り曲げ容易線１２ａ〜１２ｄが折り曲げられて側板２〜４と蓋板６〜９との境界を定めるので、側板２〜４の延出長さが比較的大きくなる。これにより、図２に示すように、当該畳箱用シートを組み立てて形成される箱体は、高さが相対的に大きくなり、厚さが比較的大きい品物を収容することができる。
【００３０】
逆に、当該畳箱用シートは、シート材の裏面を外側にして箱体を組み立てる場合、第２蓋折り曲げ容易線１２ａ〜１２ｄが第１折り曲げ容易線１１ａ〜１１ｄよりも折り曲げにくくなり、第１折り曲げ容易線１１ａ〜１１ｄが側板２〜４と蓋板６〜９との境界を定める。これにより、組み立てられる箱体は、図３に示すように、当該畳箱用シートを組み立てて形成される箱体は、高さが相対的に小さくなり、厚さが比較的小さい品物を収容するのに適するものとなる。
【００３１】
当該畳箱用シートを段ボールシートで形成する場合、段ボールシートの中芯の稜線の延在方向が、図１において上下方向又は左右方向となるよう配向することが好ましい。これによって、中芯の向きが蓋折り曲げ容易線１１ａ〜１１ｄ，１２ａ〜１２ｄに対して４５度傾斜する方向となるので、蓋板６〜９を蓋折り曲げ容易線１１ａ〜１１ｄ，１２ａ〜１２ｄに沿って側板２〜５に対して折り曲げる際、蓋板６〜９の途中で段ボールシートが折れ曲がりにくい。従って、このように段ボールシートの中芯を配向することによって、組み立て性をさらに向上することができる。
【００３２】
また、当該畳箱用シートは、第１側板２の一対の蓋折り曲げ容易線１１ａ，１２ａ上にそれぞれスリット（第１スリット１３及び第２スリット１４）が形成され、このスリット１３，１４が形成される第１側板２に対向する第２側板３から延設される第２蓋板７の延出側先端に上記スリット１３，１４に挿入される差し込み片１５が延設される。
【００３３】
この差し込み片１５と第２蓋板７との境界は、一対の差し込み折り曲げ容易線１６，１７（第１差し込み折り曲げ容易線１６及び第２差し込み折り曲げ容易線１７）で定められ、この一対の差し込み折り曲げ容易線１６，１７の一方がシート材を裏面側に折り曲げる山折り罫線であり、他方がシート材を表面側に折り曲げる谷折り罫線である。本実施形態では、第２蓋板７の基端縁に近い方の第１差し込み折り曲げ容易線１６がシート材を表面側に折り曲げる谷折り罫線であり、第２蓋板７の基端縁から遠い方の第２差し込み折り曲げ容易線１６がシート材を裏面側に折り曲げる山折り罫線である。
【００３４】
本実施形態において、一対の差し込み折り曲げ容易線１６，１７の間における差し込み片１５の差し込み折り曲げ容易線１６，１７に沿う方向の平均幅（特に第１スリット１３に嵌合する部分の幅）は、一対の差し込み折り曲げ容易線１６，１７よりもさらに先端側における差し込み片１５の差し込み折り曲げ容易線１６，１７に沿う方向の平均幅（特に第２スリット１４に嵌合する部分の幅）よりも大きい。換言すると、第２蓋板側の第１差し込み折り曲げ容易線１６の長さは、先端側の第２差し込み折り曲げ容易線１７の長さよりも大きい。
【００３５】
また、第１差し込み折り曲げ容易線１６の基端部の幅は、第１スリット１３の長さに対応し、第２差し込み折り曲げ容易線１７の基端部の幅は、第２スリット１４の長さに対応する。これによって、差し込み片１５を第２蓋板７に対して折り曲げる差し込み折り曲げ容易線１６，１７の選択を誤って折り曲げても、差し込み片１５の幅がスリット１３，１４に適合しないことによって誤りに容易に気付くことができる。
【００３６】
当該畳箱用シートを組み立ててなる箱体を第１蓋板６に第２蓋板７が密着する状態で封止可能とするために、第１差し込み折り曲げ容易線１６と第２差し込み折り曲げ容易線１７との間隔は、第１蓋折り曲げ容易線１１ａ，１１ｂと第２蓋折り曲げ容易線１２ａ，１２ｂとの間隔と略等しい。また、蓋板６〜９を第１蓋折り曲げ容易線１１ａ〜１１ｄで折り曲げて当該畳箱用シートを組み立てた場合に、差し込み片１５の先端が底板１に干渉しないよう、第１差し込み折り曲げ容易線１６から差し込み片１５の先端までの距離は、底折り曲げ容易線１０ａ，１０ｂと第１蓋折り曲げ容易線１１ａ，１１ｂとの間隔以下とされる。
【００３７】
第１差し込み折り曲げ容易線１６と第２差し込み折り曲げ容易線１７との長さの差の下限としては、３ｍｍが好ましく、５ｍｍがより好ましい。一方、第１差し込み折り曲げ容易線１６と第２差し込み折り曲げ容易線１７との長さの差の上限としては、２５ｍｍが好ましく、２０ｍｍがより好ましい。第１差し込み折り曲げ容易線１６と第２差し込み折り曲げ容易線１７との長さの差が上記下限に満たない場合、差し込み折り曲げ容易線１６，１７を誤って折り曲げた場合にも、スリット１３，１４の長さとの差が小さく、誤りに気が付きにくくなるおそれがある。逆に、１差し込み折り曲げ容易線１６と第２差し込み折り曲げ容易線１７との長さの差が上記上限を超える場合、差し込み片の先端側の幅が小さくなり過ぎて強度が不足するおそれや、第１スリット１３の長さが大きくなり過ぎて当該畳箱用シートを組み立ててなる箱体に強度が不十分となるおそれがある。
【００３８】
当該畳箱用シートの底板１は、スリット１３，１４が形成される第１側板２の基端縁となる底折り曲げ容易線１０ａ及びこれに対向する第２側板３の基端縁となる底折り曲げ容易線１０ｂの長さが、残る一対の底折り曲げ容易線１０ｃ，１０ｄの長さ以上であることが好ましい。これによって、本実施形態のように第２蓋板７に差し込み片１５を設ける場合に、第２蓋板７の延出長さを比較的小さくすることができ、当該畳箱用シートに使用されるシート材の面積を比較的小さくすることができる。
【００３９】
また、当該畳箱用シートは、第１側板２の側縁と第３側板４及び第４側板５の隣接する側縁とをそれぞれ接続する一対の接続片１８，１９と、第３側板４及び第４側板５の第２側板３側の側延からそれぞれ延設される一対の折り込み片２０，２１とをさらに備える。これらの接続片１８，１９及び折り込み片２０，２１は、当該畳箱用シートを組み立ててなる箱体において、側板２〜５間の隙間を封止する。
【００４０】
接続片１８，１９は、第１側板２の側縁と第３側板４又は第４側板５の隣接する側縁との間に形成される角を略二分するよう延在する中間折り曲げ容易線２２，２３が形成されている。これによって、形成する箱体の高さ（第１蓋折り曲げ容易線１１ａ〜１１ｄと第２蓋折り曲げ容易線１２ａ〜１２ｄとのいずれを折り曲げるかの選択）によらず、側板２〜５間の隙間を封止することができる。
【００４１】
また、第１側板２、第３側板４及び第４側板５と接続片１８，１９との境界及び接続片１８，１９の中間折り曲げ容易線２２，２３は、ミシン目から形成されている。このように、接続片１８，１９及び折り込み片２０，２１の境界がミシン目によって画定されることによって、当該畳箱用シートは、表裏いずれを外側にしても容易に組み立てることができる。
【００４２】
折り込み片２０，２１は、第１蓋折り曲げ容易線１１ｃ，１１ｄの延長線上で切断され、第１折り込み部２０ａ，２１ａと第２折り込み部２０ｂ，２１ｂとに分割されている。第２折り込み部２０ｂ，２１ｂは、第１折り込み部２０ａ，２１ａよりも延出長さが小さく形成されている。この第２折り込み部２０ｂ，２１ｂの延出長さの上限としては、底折り曲げ容易線１０ａ〜１０ｄと第１蓋折り曲げ容易線１１ｃ，１１ｄとの距離と等しい長さであり、底折り曲げ容易線１０ａ〜１０ｄと第１蓋折り曲げ容易線１１ｃ，１１ｄとの距離よりもシート材の平均厚さ分だけ小さい長さであることが好ましい。第２折り込み部２０ｂ，２１ｂの延出長さが上記上限を超える場合、第２蓋折り曲げ容易線１２ａ〜１２ｄでシート材を折り曲げて箱体を形成する際に、第２折り込み部２０ｂ，２１ｂが底板１と干渉して箱体の成形を阻害するおそれがある。
【００４３】
また、当該畳箱用シートは、第１側板２及び第１蓋板６を横断するよう、第１側板２の基端縁である底折り曲げ容易線１０ａを始端としてシート材を容易に破断できるミシン目状にシート材を切断した開封容易線２４が形成されている。この開封容易線２４は、組み立て状態において第２蓋板７と重ならないよう形成されることが好ましく、第２蓋板７の外縁に沿って延在するよう形成されることがより好ましい。これにより、当該畳箱用シートを組み立ててなる箱体を第２蓋板７の先端部と第１側板２とに跨がるよう粘着テープを貼着して封函した場合にも、第２蓋板７及び差し込み片１５を、第１側板２及び第１蓋板６の第２蓋板７及び差し込み片１５と重なる領域と一体に引き起こすようにして開封することができる。
【００４４】
さらに、当該畳箱用シートは、図１における上下方向の中央に、左右方向に延在する谷折り罫線からなる廃棄用折り曲げ容易線２５が形成され、左右方向の中央に、上下方向に延在する谷折り罫線からなる廃棄用折り曲げ容易線２６が形成されている。さらに、当該畳箱用シートは、第２蓋板７の上記直角二等辺三角形状の領域の第３蓋板８側の等辺及び第４蓋板９側の等辺、第３蓋板８及び第４蓋板９の上記直角二等辺三角形状の領域の第１蓋板６側の等辺を基端としてそれぞれ形成される一対の破断容易線によって、係合舌片２７〜３０が画定されている。
【００４５】
一対の破断容易線は、その延在方向の一部を残して断続的に形成される切断線であり、ユーザーが比較的容易に手で破断することができるよう形成されている。また、各対の破断容易線は、それぞれの蓋板７〜９の外縁に向かって間隔が広がるよう形成されている。このため、係合舌片２７〜３０は、略台形状に形成され、自由端が幅広となるよう形成されている。
【００４６】
第２蓋板７の第３蓋板８側の破断係合舌片２７と第３蓋板８の係合舌片２９とは、左右方向に延在する廃棄用折り曲げ容易線２５を挟んで線対称に形成され、第２蓋板７の第４蓋板５側の破断係合舌片２８と第４蓋板９の係合舌片３０とは、上下方向に延在する廃棄用折り曲げ容易線２６を挟んで線対称に形成されている。
【００４７】
このため、当該畳箱用シートを廃棄用折り曲げ容易線２５に沿って二つ折りに折り畳むと、廃棄用折り曲げ容易線２５を挟んで対向する係合舌片２７及び係合舌片２９が重ね合わされる。また、当該畳箱用シートを廃棄用折り曲げ容易線２６に沿って二つ折りに折り畳むと、廃棄用折り曲げ容易線２６を挟んで対向する係合舌片２８及び係合舌片３０が重ね合わされる。このような折り畳み状態で係合舌片２７，２９又は破断係合舌片２８，３０を重ね合わせたまま折り曲げることによって、係合舌片２７，２９又は破断係合舌片２８，３０が係合舌片２７，２９又は破断係合舌片２８，３０の折り曲げにより当該畳箱用シート周縁に形成される大形状の凹部の奧端に係合舌片２７，２９又は破断係合舌片２８，３０が係合する。これにより、当該畳箱用シートを折り畳み状態に保持することができ、使用済みの当該畳箱用シートを容易に廃棄することができる。
【００４８】
＜利点＞
このように、当該畳箱用シートは、側板２〜５と蓋板６〜９との境界を定める一対の蓋折り曲げ容易線１１ａ〜１１ｄ，１２ａ〜１２ｄの一方がシート材を裏面側に折り曲げる山折り罫線であり、他方がシート材を表面側に折り曲げる谷折り罫線であるため、箱体に組み立てる際の表裏を選択するだけで、第１折り曲げ容易線１１ａ〜１１ｄ及び第２蓋折り曲げ容易線１２ａ〜１２ｄのいずれか一方を比較的確実に選択して折り曲げることができる。このため、当該畳箱用シートは、形成する箱体のサイズを容易に選択することができ、かつ誤った位置でシート材を折り曲げて箱体の強度を損なう失敗が生じにくい。
【００４９】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５０】
当該畳箱用シートは、第１蓋折り曲げ容易線が山折り罫線であり、かつ第２蓋折り曲げ容易線が谷折り罫線であってもよい。
【００５１】
当該畳箱用シートにおいて、折り込み片や接続片は、任意の構成であり、置換、省略及び形状変更が可能である。また、当該畳箱用シートの折り込み片は、第１側板や第２側板から延設されてもよい。
【００５２】
当該畳箱用シートにおいて、スリット及び差し込み片、開封容易線、並びに廃棄用折り曲げ容易線及び接続片は省略してもよい。
【００５３】
当該畳箱用シートは、蓋板の先端側の概略形状が直角二等辺三角形状でなくてもよい。例えば対向する一対の蓋板の先端縁を鋭角状に形成し、他対の蓋板の先端縁を鈍角状に形成してもよい。この場合、当該畳箱用シート全体の概略形状が平行四辺形状となるようにするとよい。
【産業上の利用可能性】
【００５４】
本考案の畳箱用シートは、包装箱として広く利用できるが、特に宅配便用の包装箱として好適に利用することができる。
【符号の説明】
【００５５】
１  底板
２〜５  側板
６〜９  蓋板
１０ａ〜１０ｄ  底折り曲げ容易線
１１ａ〜１１ｄ  第１蓋折り曲げ容易線
１２ａ〜１２ｄ  第２蓋折り曲げ容易線
１３，１４  スリット
１５  差し込み片
１６，１７  差し込み折り曲げ容易線
１８，１９  接続片
２０，２１  折り込み片
２０ａ，２１ａ  第１折り込み部
２０ｂ，２１ｂ  第２折り込み部
２２，２３  中間折り曲げ容易線
２４  開封容易線
２５，２６  廃棄用折り曲げ容易線
２７〜３０  係合舌片
【図１】
0003203567.tif 000003
【図２】
0003203567.tif 000004
【図３】
0003203567.tif 000005